(57)【要約】【課題】特に脱衣作業を容易にするとともに、製造コストを上げることも無いつなぎ服を提供すること。【解決手段】上衣２とズボン３とを上下一体に構成した前開きタイプのつなぎ服１において、左右の前身頃部分４の少なくとも片方側の裏面側上方部分に、紐状部材６の両端部分６０１を縫い付け、これによりループ状とした紐状部材６を前身頃４の裏面に取り付けるとともに、紐状部材６の自由端６０２の部分は、適宜、面ファスナー等の着脱手段により前身頃４の裏面任意の箇所に着脱自在に装着し、脱衣の際には、紐状部材６の自由端６０２の部分を引っ張ることにより容易につなぎ服から肩を抜くことを可能にし、これにより、製造コストを上げることなく、つなぎ服が体にフィットしている場合や、作業等で汗をかいているときであっても、脱衣作業を極めて容易にした。【選択図】図１
2007239123.tif 000002
【特許請求の範囲】
【請求項１】
上衣とズボンとが上下一体に構成される前開きのつなぎ服（１）において、
左右の前身頃（４）部分の少なくとも片方側の裏側上方部分近傍に、紐状部材（６）の少なくとも一端部分（６０１）を取り付けたことを特徴とするつなぎ服。
【請求項２】
前記紐状部材（６）における前身頃部分（４）の裏面側上方部分に装着した箇所（６０１）以外の部分（６０２）の一部又は全部を、着脱手段により、前身頃（４）部分の裏面側任意の箇所に着脱自在に取り付けたことを特徴とする請求項１に記載のつなぎ服。
【請求項３】
前記着脱手段が面ファスナーであることを特徴とする請求項１又は請求項２に記載のつなぎ服。
【発明の詳細な説明】
【技術分野】
【０００１】
本発明は、上衣とズボンとを上下一体に構成した前開きのつなぎ服に係り、より詳しくは、使用後に脱ぎ易くしたことを特徴とするつなぎ服に関する。
【背景技術】
【０００２】
つなぎ服は一般的に、上衣部分とズボン部分の上下を一体にして構成されている。そして、上衣部分の前見頃の中央部分に上下方向に向けてスライドファスナーを直線状に縫い付けており、このファスナーを開閉して着用者の身体を出し入れする前開きタイプのものとされている。
【０００３】
即ち、このようなつなぎ服の着用は、まず、このファスナーを下げて前身頃を開き、その後にズボン部分に足を入れ、次に、袖部分に腕をいれつつ、上衣部分内に上半身を入れ、その後にファスナーを閉じることにより行われる。
【０００４】
そして、これを脱ぐときには、ファスナーを下げて前身頃を開いた後に、左右の腕を袖部分から抜きつつ上半身を上衣から出し、その後はズボン部分から足を抜き出すことにより行う。
【０００５】
ところで、前述のようにつなぎ服を脱ぐときには、まず、腕を袖部分から抜くために肩を抜く作業が必要であり、肩を抜かないと袖部分から腕を抜く作業に移ることができない。しかしながら、この肩を抜く作業が大変であり、そのため、着用の場合と比較して脱衣の作業は大変な作業となる。特に、つなぎ服が体にフィットしているか少し小さい場合において、作業等で汗をかいているときには、肩を抜く作業は極めて大変なものとなる。
【０００６】
そのため、このようなつなぎ服の問題点を解決する方法として、過去においては、左右前身頃の少なくとも片方側の襟先付け根箇所から袖付け位置まで横一線に到達する切り込みを入れて、これにより上下方向へ開放部を形成するとともに、開放部には開閉用の脱着部材であるファスナーを取り付けたつなぎ服が提案されている。そして、これによれば、肩を抜く作業が極めて容易となる。
【特許文献１】実用新案登録第３０６７５６６号公報
【発明の開示】
【発明が解決しようとする課題】
【０００７】
しかしながら、左右前身頃の少なくとも片方側の襟先付け根箇所から袖付け位置まで横一線に到達する切り込み入れて上下方向へ開放部を形成し、更にこの開放部を開閉するためのファスナーを取り付ける作業は面倒であり、これにより製造コストが上がってしまうという問題点が考えられる。
【０００８】
また前述のつなぎ服では、脱衣の際にファスナーを開く作業が必要であるとともに、着衣の際にはこのファスナーを閉じる作業が必要で、着脱作業が極めて面倒であるという問題点も考えられる。
【０００９】
そこで、本発明は、特に脱衣作業を容易にするとともに、製造コストを上げることも無いつなぎ服を提供することを課題としている。
【課題を解決するための手段】
【００１０】
請求項１に記載の本発明のつなぎ服は、上衣とズボンとが上下一体に構成される前開きのつなぎ服において、
左右の前身頃部分の少なくとも片方側の裏側上方部分近傍に、紐状部材の少なくとも一端部分を取り付けたことを特徴としている。
【００１１】
また、請求項２に記載の本発明のつなぎ服は、請求項１に記載のつなぎ服において、前記紐状部材における前身頃部分の裏側上方部分に装着した箇所以外の部分の一部又は全部を、着脱手段により、前身頃部分の裏側任意の箇所に着脱自在に取り付けたことを特徴としている。
【００１２】
そして、請求項３に記載の本発明のつなぎ服では、請求項２に記載のつなぎ服において、着脱手段として面ファスナーを用いたことを特徴としている。
【発明の効果】
【００１３】
本発明のつなぎ服では、上衣とズボンとが上下一体に構成される前開きのつなぎ服において、左右の前身頃部分の少なくとも片方側の裏側上方部分近傍に、紐状部材の少なくとも一端部分を取り付けている。
【００１４】
そのために、これを脱ぐ際には、前見頃中央部分のスライドファスナーを下げて前見頃を開放した後に、紐状部材をつかみ、この紐状部材を横方向に引くことで、容易に、つなぎ服から肩部分を抜くことができ、それにより脱衣作業が極めて容易になる。
【００１５】
また、このとき、前記紐状部材における前身頃部分の裏側上方部分に取り付けた箇所以外の部分の一部又は全部を、例えば面ファスナー等の着脱手段により、前身頃部分の裏側任意の箇所に着脱自在に取り付けることで、使用しない際に紐状部材が邪魔になることを防止できる。
【発明を実施するための最良の形態】
【００１６】
本発明のつなぎ服では、上衣とズボン部の上下が一体に構成されており、上衣部分の前見頃中央部分には、上下方向に向けてスライドファスナーを直線状に縫い付け、スライドファスナーを下げた後に前身頃を開くことで着脱が可能な前開きタイプとしている。
【００１７】
そして、左右の前身頃部分の少なくとも片方側の裏側上方部分近傍には、紐部材の両端部を縫製等により縫い付け、これにより、左右の前身頃部分の少なくとも片方側の裏側上方部分近傍に、ループ状とした紐状部材を備えている。
【００１８】
また、紐状部材の両端部分以外の部分は、面ファスナー等の脱着部材により、前身頃部分の裏側任意の箇所に、着脱自在に固着している。
【実施例１】
【００１９】
本発明のつなぎ服の実施例について図面を参照して説明すると、図１及び図２は、本実施例のつなぎ服１を正面から示した図であり、図１は前身頃を閉じている状態を示し、図２は前身頃の左側を開いている状態を示している。
【００２０】
そして、本実施例におけるつなぎ服１は、従来から一般的に提供されているつなぎ服と同様に、上衣２とズボン３とを上下一体にして構成しており、上衣２の上端部分の左右側には袖部分５が連設されている。
【００２１】
また、上衣２の前見頃４における左右方向に見た中央部分には、上下方向に向けて切り込み２０１が形成されるとともに、この切り込み２０１の部分にはスライドファスナー２０２を直線状に縫い付けており、これにより、このスライドファスナー２０２を開閉することで、切り込み２０１の部分を境にして前身頃２左右に開き、開くことによって開口２０３を形成して、この開口２０３を介して着用者の身体を出し入れ可能としている。
【００２２】
なお、図において２０４は、前記スライドファスナー２０２の部分を保護するための保護用の布地であり、この保護用の布は特に必要なものではない。
【００２３】
次に、図２において６は紐状部材である。即ち、本実施例におけるつなぎ服１では、左側の前見頃４の裏面側に紐状部材６を有している。
【００２４】
ここで、前記紐状部材６について説明すると、本実施例において前記紐状部材６は、適宜の長さとした長尺の紐状部材６を用いており、その両端部分６０１を前記左側の前見頃４における胸ポケットの裏面側近傍に縫い付け、これにより、左側の前見頃４の裏面側に、両端部分６０１以外を自由端６０２とした略ループ状の紐状部材６を備えており、更に、自由端６０２の部分は、図示しない面ファスナーにより、左側の前見頃４の裏面側に、脱着自在に取り付け、これにより、脱衣の際に容易に袖部分から肩部分を抜くことを可能にしている。
【００２５】
即ち、本実施例のつなぎ服１を脱ぐときには、まず、ファスナー２０２を下げた後に左側の前見頃２を開き、その後、肩を抜いて袖部５から肩を抜く際に、紐状部材６の自由端６０２の部分を持ち、この部分を前見頃４の裏面より剥がす。
【００２６】
そして、この剥がした自由端６０２の部分を、左斜め上方に向けて、円弧を描くようにして引く。
【００２７】
そうすると、つなぎ服１の袖部分５より肩が露出し、これによりつなぎ服１の袖部分５より肩を抜くことができ、その後は腕全体を袖部分５から抜くことでつなぎ服１から左上半身を抜くことができ、これにより、その後の脱衣作業が極めて容易となる。
【００２８】
このように、本発明のつなぎ服１では、前身頃４の裏面側に紐状部材６の両端部分６０１を縫いつけており、つなぎ服を脱ぐ際にはこの紐状部材６の自由端６０２の部分を引くことで容易に肩を抜くことを可能にしているため、つなぎ服が体にフィットしている場合や作業等で汗をかいているときであっても、脱衣作業が極めて容易になる。
【００２９】
またそのとき、本実施例のつなぎ服１では、前身頃裏面側に紐状部材６の両端部分６０１を縫いつけたのみの構成であり、新たなにファスナーを縫いつける方法と異なり、工程的にも製造コストが上がることがなく、低コストで脱ぎやすいつなぎ服を得ることが可能である。
【００３０】
更に、紐状部材６の自由端６０２の部分を、面ファスナーにより左側の前見頃４の裏面側に脱着自在に取り付けているため、着衣している際に紐状部材６が揺れ動いて邪魔になることもない。
【００３１】
なお、前述の実施例では、紐状部材６の自由端部分６０２を面ファスナーにより前見頃裏面側に脱着自在に取り付けた形態を説明したが、紐状部材６の自由端部分は、必ずしも前見頃裏面側に脱着自在に取り付ける必要はなく、自由端のままの状態にしておいても良い。
【００３２】
また、前述の実施例では、紐状部材６の両端部分を上下に間隔を置いて前身頃の裏面に縫いつているが、必ずしもこのようにする必要はなく、紐状部材６の一端部分のみを縫い付けてもよい。更に、紐状部材６の両端部分を縫い付ける場合でも、上下に間隔を置いて縫い付ける必要はなく、左右に間隔を置いて縫い付けてもよく、あるいは、同一箇所に重ねて縫い付けてもよい。
【００３３】
更に、紐状部材６の先端部分６０１を縫い付ける箇所は、必ずしも胸ポケットの裏面側近傍にする必要はなく、その他の箇所でもよい。
【００３４】
例えば、図３は、本発明のつなぎ服の他の形態１１を説明するための図であり（図３においては、理解を容易にするために、左側前身頃の表面に備えているポケット部を省略して描いている。）、図３に示すつなぎ服１１では、左側の前見頃４の裏面側における、袖部分５の近傍に、紐状部材６の両端部を上下に間隔を置いて縫い付けている。そしてこれにより、より容易に、紐状部材６を引くことで肩を抜くことを可能にしている。なお、図３に示すつなぎ服１１では、紐状部材６の両端部の取り付け箇所を、前述の図１及び図２に示すつなぎ服１と異なったものとしているのみで、その他の構成等は図１及び図２に示すつなぎ服１と同様であるために、重複した説明は省略するとともに、同一部分には同一符号を付している。
【産業上の利用可能性】
【００３５】
本発明のつなぎ服では、前身頃裏面側に紐状部材の先端を縫い付け、脱衣の際にはこの紐状部材を引くことにより容易に肩を抜くことを容易にしているため、上下一体に構成される前開きのつなぎ服全般に適用可能である。
【図面の簡単な説明】
【００３６】
【図１】本発明のつなぎ服の実施例の正面図であり、前見頃を閉じた状態を示している。
【図２】本発明のつなぎ服の実施例の正面図であり、前見頃を開いた状態を示している。
【図３】本発明のつなぎ服の他の形態の正面図である。
【符号の説明】
【００３７】
１    つなぎ服
２    上衣
２０１    切り込み
２０２    スライドファスナー
２０３    開口部
２０４    保護用の布
３    ズボン
４    前身頃
５    袖部
６    紐状部材
６０１    両端部分
６０２    自由端部分
【図１】
2007239123.tif 000003
【図２】
2007239123.tif 000004
【図３】
2007239123.tif 000005